【手続補正書】
【提出日】令和2年1月14日(2020.1.14)
【手続補正１】
【補正対象書類名】特許請求の範囲
【補正対象項目名】全文
【補正方法】変更
【補正の内容】
【特許請求の範囲】
【請求項１】
移動体において使用される表示システムであって、
対象空間に存在する複数の検知対象の検知情報と移動体の位置情報を取得する取得部と、
前記対象空間に虚像を表示する表示部における表示を制御する制御部と、を備え、
前記制御部は、
前記位置情報に基づいて前記対象空間を複数の検知領域に分割し、
前記検知情報に基づいて、前記複数の検知領域の各検知領域内に存在する複数の検知対象から、前記移動体の最も近くに存在する第１検知対象を抽出し、
前記複数の検知領域のそれぞれに存在する前記第１検知対象を第１表示対象として、当該第１表示対象に対応する虚像を前記表示部に表示させる、
表示システム。
【請求項２】
前記制御部は、
前記検知情報に基づいて、前記複数の検知領域のそれぞれにおいて、前記複数の検知対象のうち前記移動体と衝突する時間が最も短い第２検知対象を抽出し、
前記複数の検知領域のそれぞれに存在する前記第２検知対象を第２表示対象として、当該第２表示対象に対応する虚像を前記表示部に表示させる、
請求項１に記載の表示システム。
【請求項３】
前記制御部は、前記複数の検知領域のそれぞれで前記第１表示対象に対応する虚像を違いに異なる表示態様で前記表示部に表示させる、
請求項１又は２に記載の表示システム。
【請求項４】
前記位置情報は、前記移動体が存在する交通路の種類の情報を含み、
前記制御部は、前記交通路の種類に応じて前記対象空間を前記複数の検知領域に分割する、
請求項２又は３に記載の表示システム。
【請求項５】
前記交通路の種類は、走行車線と対向車線と歩道とのうちの少なくとも１つを含む、
請求項４に記載の表示システム。
【請求項６】
前記第１表示対象に対応する虚像は、前記移動体が進む方向に垂直な方向に長い棒状のマーカーであり、
前記制御部は、前記第１表示対象に対応する虚像を、前記第１表示対象の手前に表示させる、
請求項１〜４のいずれか１項に記載の表示システム。
【請求項７】
前記制御部は、前記第１表示対象に対応する虚像を、前記第１表示対象までの距離に応じた視距離で前記表示部に表示させる
請求項１〜６のいずれか１項に記載の表示システム。
【請求項８】
前記表示部の画像を前記移動体のウィンドシールドが反射することによって、前記第１表示対象に対応する虚像がユーザに視認される、
請求項１〜７のいずれか１項に記載の表示システム。
【請求項９】
対象空間に存在する複数の検知対象の検知情報と移動体の位置情報を検知する検知システムと、
前記対象空間に虚像を表示する表示部と、
前記表示部における表示を制御する制御部と、を備え、
前記制御部は、
前記検知システムから前記検知情報及び前記位置情報を取得し、
前記位置情報に基づいて前記対象空間を複数の検知領域に分割し、
前記検知情報に基づいて、前記複数の検知領域の各検知領域内に存在する複数の検知対象から、前記移動体の最も近くに存在する第１検知対象を抽出し、
前記複数の検知領域のそれぞれに存在する前記第１検知対象を第１表示対象として、当該第１表示対象に対応する虚像を前記表示部に表示させる、
情報提示システム。
【請求項１０】
前記制御部は、
前記検知情報に基づいて、前記複数の検知領域のそれぞれにおいて、前記複数の検知対象のうち前記移動体と衝突する時間が最も短い第２検知対象を抽出し、
前記複数の検知領域のそれぞれに存在する前記第２検知対象を第２表示対象として、当該第２表示対象に対応する虚像を前記表示部に表示させる、
請求項９に記載の情報提示システム。
【請求項１１】
対象空間に存在する複数の検知対象の検知情報と移動体の位置情報を取得することと、
前記位置情報に基づいて前記対象空間を複数の検知領域に分割することと、
前記検知情報に基づいて、前記複数の検知領域の各検知領域内に存在する複数の検知対象から、前記移動体の最も近くに存在する第１検知対象を抽出することと、
前記複数の検知領域のそれぞれに存在する前記第１検知対象を第１表示対象として、当該第１表示対象に対応する虚像を表示させることと、を含む、
表示システムの制御方法。
【請求項１２】
前記検知情報に基づいて、前記複数の検知領域のそれぞれにおいて、前記複数の検知対象のうち前記移動体と衝突する時間が最も短い第２検知対象を抽出することと、
前記複数の検知領域のそれぞれに存在する前記第２検知対象を第２表示対象として、当該第２表示対象に対応する虚像を表示させることとを、更に含む、
請求項１１に記載の表示システムの制御方法。
【請求項１３】
コンピュータシステムに、
対象空間に存在する複数の検知対象の検知情報と移動体の位置情報を取得することと、
前記位置情報に基づいて前記対象空間を複数の検知領域に分割することと、
前記検知情報に基づいて、前記複数の検知領域の各検知領域内に存在する複数の検知対象から、前記移動体の最も近くに存在する第１検知対象を抽出することと、
前記複数の検知領域のそれぞれに存在する前記第１検知対象を第１表示対象として、当該第１表示対象に対応する虚像を表示させることと、
を実行させるためのプログラム。
【請求項１４】
コンピュータシステムに、
前記検知情報に基づいて、前記複数の検知領域のそれぞれにおいて、前記複数の検知対象のうち前記移動体と衝突する時間が最も短い第２検知対象を抽出することと、
前記複数の検知領域のそれぞれに存在する前記第２検知対象を第２表示対象として、当該第２表示対象に対応する虚像を表示させることとを、
を実行させるための請求項１３に記載のプログラム。
【請求項１５】
移動体本体と、
前記移動体本体に搭載される表示システムと、を備え、
前記表示システムは、
対象空間に虚像を表示する表示部と、
前記表示部における表示を制御する制御部と、を備え、
前記制御部は、
対象空間に存在する複数の検知対象の検知情報と移動体の位置情報を取得し、
前記位置情報に基づいて前記対象空間を複数の検知領域に分割し、
前記検知情報に基づいて、前記複数の検知領域の各検知領域内に存在する複数の検知対象から、前記移動体の最も近くに存在する第１検知対象を抽出し、
前記複数の検知領域のそれぞれに存在する前記第１検知対象を第１表示対象として、当該第１表示対象に対応する虚像を前記表示部に表示させる、
移動体。
【請求項１６】
前記制御部は、
前記検知情報に基づいて、前記複数の検知領域のそれぞれにおいて、前記複数の検知対象のうち前記移動体と衝突する時間が最も短い第２検知対象を抽出し、
前記複数の検知領域のそれぞれに存在する前記第２検知対象を第２表示対象として、当該第２表示対象に対応する虚像を前記表示部に表示させる、
請求項１５に記載の移動体。
【手続補正２】
【補正対象書類名】明細書
【補正対象項目名】０００６
【補正方法】変更
【補正の内容】
【０００６】
本開示の一態様の表示システムは、移動体において使用される表示システムであって、  対象空間に存在する複数の検知対象の検知情報と移動体の位置情報を取得する取得部と、前記対象空間に虚像を表示する表示部における表示を制御する制御部と、を備える。前記制御部は、前記位置情報に基づいて前記対象空間を複数の検知領域に分割し、前記検知情報に基づいて、前記複数の検知領域の各検知領域内に存在する複数の検知対象から、前記移動体の最も近くに存在する第１検知対象を抽出し、前記複数の検知領域のそれぞれに存在する前記第１検知対象を第１表示対象として、当該第１表示対象に対応する虚像を前記表示部に表示させる。
【手続補正３】
【補正対象書類名】明細書
【補正対象項目名】０００７
【補正方法】変更
【補正の内容】
【０００７】
本開示の一態様の情報提示システムは、対象空間に存在する複数の検知対象の検知情報と移動体の位置情報を検知する検知システムと、前記対象空間に虚像を表示する表示部と、前記表示部における表示を制御する制御部と、を備える。前記制御部は、前記検知システムから前記検知情報及び前記位置情報を取得し、前記位置情報に基づいて前記対象空間を複数の検知領域に分割し、前記検知情報に基づいて、前記複数の検知領域の各検知領域内に存在する複数の検知対象から、前記移動体の最も近くに存在する第１検知対象を抽出し、前記複数の検知領域のそれぞれに存在する前記第１検知対象を第１表示対象として、当該第１表示対象に対応する虚像を前記表示部に表示させる。
【手続補正４】
【補正対象書類名】明細書
【補正対象項目名】０００８
【補正方法】変更
【補正の内容】
【０００８】
本開示の一態様の表示システムの制御方法は、対象空間に存在する複数の検知対象の検知情報と移動体の位置情報を取得することと、前記位置情報に基づいて前記対象空間を複数の検知領域に分割することと、前記検知情報に基づいて、前記複数の検知領域の各検知領域内に存在する複数の検知対象から、前記移動体の最も近くに存在する第１検知対象を抽出することと、前記複数の検知領域のそれぞれに存在する前記第１検知対象を第１表示対象として、当該第１表示対象に対応する虚像を表示させることと、を含む。
【手続補正５】
【補正対象書類名】明細書
【補正対象項目名】０００９
【補正方法】変更
【補正の内容】
【０００９】
本開示の一態様のプログラムは、コンピュータシステムに、対象空間に存在する複数の検知対象の検知情報と移動体の位置情報を取得することと、前記位置情報に基づいて前記対象空間を複数の検知領域に分割することと、前記検知情報に基づいて、前記複数の検知領域の各検知領域内に存在する複数の検知対象から、前記移動体の最も近くに存在する第１検知対象を抽出することと、前記複数の検知領域のそれぞれに存在する前記第１検知対象を第１表示対象として、当該第１表示対象に対応する虚像を表示させることと、を実行させるためのプログラムである。
【手続補正６】
【補正対象書類名】明細書
【補正対象項目名】００１０
【補正方法】変更
【補正の内容】
【００１０】
本開示の一態様の移動体は、移動体本体と、前記移動体本体に搭載される表示システムと、を備える。前記表示システムは、対象空間に虚像を表示する表示部と、前記表示部における表示を制御する制御部と、を備える。前記制御部は、対象空間に存在する複数の検知対象の検知情報と移動体の位置情報を取得し、前記位置情報に基づいて前記対象空間を複数の検知領域に分割し、前記検知情報に基づいて、前記複数の検知領域の各検知領域内に存在する複数の検知対象から、前記移動体の最も近くに存在する第１検知対象を抽出し、前記複数の検知領域のそれぞれに存在する前記第１検知対象を第１表示対象として、当該第１表示対象に対応する虚像を前記表示部に表示させる。
【手続補正７】
【補正対象書類名】明細書
【補正対象項目名】００８７
【補正方法】変更
【補正の内容】
【００８７】
また、表示部４０から照射された光を反射する反射部材が、自動車１００のウインドシールド１０１で構成されているが、反射部材はウインドシールド１０１に限定されず、ウインドシールド１０１とは別体に設けられた透光板でもよい。